(57)【要約】      （修正有）【課題】繊維強化プラスティックによるケガや事故の危険性がなく、傘の利用として十分な耐久性を有するオールプラスティック傘、を提供する。【解決手段】プラスティック製の中棒０１０１と、プラスティック製の上ろくろ０１０３と、プラスティック製の下ろくろ０１０２と、前記下ろくろ０１０２に支持される受骨０１０６と、前記上ろくろ０１０３に支持されるプラスティック製の親骨０１０７と、前記親骨０１０７の断面が露出した先端を被覆する被覆部０１０８と、前記親骨０１０７の上に配置して雨等をよけるための布状部材０１０９と、前記布状部材０１０９を前記親骨０１０７の上に配置するために前記被覆部０１０８にかぶせるための前記布状部材０１０９の先端に設けられる着脱自在なプラスティック製の露先０１１０と、からなるプラスティック傘を開発した。【選択図】図１
2018126262.tif 000002
【特許請求の範囲】
【請求項１】
プラスティック製の中棒と、
プラスティック製の上ろくろと、
プラスティック製の下ろくろと、
下ろくろに支持される受骨と、
前記上ろくろに支持されるプラスティック製の親骨と、
前記親骨の断面が露出した先端を被覆する被覆部と、
親骨の上に配置して雨等をよけるための布状部材と、
布状部材を親骨の上に配置するために前記被覆部にかぶせるための布状部材の先端に設けられる着脱自在なプラスティック製の露先と、
からなるプラスティック傘。
【請求項２】
前記プラスティックは、一部または全てが、ガラス繊維強化プラスティックである請求項１に記載のプラスティック傘。
【請求項３】
前記被覆部は、前記親骨と溶着一体化されている請求項１又は２に記載のプラスティック傘。
【請求項４】
傘を閉じたときに前記下ろくろを中棒に固定するための中棒に設けられた突設部と、
下ろくろにて傘を閉じた状態で前記突設部を把持する把持部と、
をさらに有する請求項１から３のいずれか一に記載のプラスティック傘。
【請求項５】
傘を閉じたときに前記下ろくろを中棒に固定するための中棒に設けられた凹部と、
下ろくろにて傘を閉じた状態で前記凹部に嵌合する突設部と、
をさらに有する請求項１から３のいずれか一に記載のプラスティック傘。
【請求項６】
傘を開いた状態で受骨が下ろくろに与える中棒軸方向の力が上ろくろ方向であるように下ろくろの上限位置を定めるように上限位置決部を有する請求項１から４のいずれか一に記載のプラスティック傘。
【請求項７】
中棒は中心棒と、中心棒を挿入する環状棒と、からなる請求項１から５のいずれか一に記載のプラスティック傘。
【請求項８】
中棒の傘をさした状態での最下端にはストラップを固定したストラップキャップが中棒下端にねじにより固定されている請求項１から６のいずれか一に記載のプラスティック傘。
【発明の詳細な説明】
【技術分野】
【０００１】
本発明は、プラスティック製の傘に関するものである。
【背景技術】
【０００２】
近年リサイクル容易性等の要請からオールプラスティック製の傘についての発明がある。しかしオールプラスティックとすると機械的強度が不足しがちである。
【先行技術文献】
【特許文献】
【０００３】
【特許文献１】特開平９−３２６
【発明の概要】
【発明が解決しようとする課題】
【０００４】
特許文献１においては、傘を構成する構成部材を複合強化プラスティックで構成するという発明が開示されている（請求項２）。このプラスティックはガラス繊維等で強化したプラスティックである。
【０００５】
機械的強度の関係から繊維強化プラスティックの利用をすると、その断面とくに端面はガラス繊維等の繊維素材が露出し、あたかも「かにかまぼこ」を縦方向に裂くような破損が生じやすい。このような部位が人が触ることがあり得る部分に露出すると繊維素材やそのほかの人体に有害な素材が肌に突き刺さったり、場合によっては体内に埋め込まれたり、最悪の場合には血管中から体内を巡ったりして血栓を作る等のケガや事故が起こり得る。特に布状部材が着せ替え型の傘の場合には布状部材の先端に取り付けられている複数の露先を親骨の先端から取り外したり、つける場合に親骨の先端端部に指が触れる場合があり、その部分がガラス繊維などの繊維強化プラスティックである場合には上記の問題が大きい。
また公知文献上ではオールプラスティックをうたう傘が公開されているが傘のはじき部位を従来構造のままオールプラスティックで製造しても耐久性に問題があった。
【０００６】
そこで、本発明においては、繊維強化プラスティックによるケガや事故の危険性がなく、傘の利用として十分な耐久性を有するオールプラスティック傘、を提供することを目的とするものである。
【０００７】
そのような目的を達成するため、本発明は、プラスティック製の中棒と、プラスティック製の上ろくろと、プラスティック製の下ろくろと、前記下ろくろに支持される受骨と、前記上ろくろに支持されるプラスティック製の親骨と、前記親骨の断面が露出した先端を被覆する被覆部と、前記親骨の上に配置して雨等をよけるための布状部材と、前記布状部材を前記親骨の上に配置するために前記被覆部にかぶせるための前記布状部材の先端に設けられる着脱自在なプラスティック製の露先と、からなるプラスティック傘を開発した。
【０００８】
次に、本発明は、前記特徴に加えて、前記プラスティックの一部または全部が、ガラス繊維強化プラスティックであることを特徴とするプラスティック傘を開発した。
【０００９】
次に、本発明は、前記特徴に加えて、前記被覆部は、前記親骨と溶着一体化されていることを特徴とするプラスティック傘を開発した。
【００１０】
次に、本発明は、前記特徴に加えて、傘を閉じたときに前記下ろくろを前記中棒に固定するための前記中棒に設けられた突設部と、前記下ろくろにて傘を閉じた状態で前記突設部を把持する把持部とをさらに有することを特徴とするプラスティック傘を開発した。
【００１１】
次に、本発明は、０００７から０００８に記載の特徴に加えて、傘を閉じたときに前記下ろくろを前記中棒に固定するための前記中棒に設けられた凹部と、前記下ろくろにて傘を閉じた状態で前記凹部に嵌合する突設部とを有することを特徴とするプラスティック傘を開発した。
【００１２】
次に、本発明は、前記特徴に加えて、傘を開いた状態で前記受骨が前記下ろくろに与える前記中棒軸方向の力が前記上ろくろ方向であるように前記下ろくろの上限位置を定めるように上限位置決部を有することを特徴とするプラスティック傘を開発した。
【００１３】
次に、本発明は、前記特徴に加えて、前記中棒は中心棒と、前記中心棒を挿入する環状棒と、からなることを特徴とするプラスティック傘を開発した。
【００１４】
次に、本発明は、前記特徴に加えて、前記中棒の傘を差した状態での最下端にはストラップを固定したストラップキャップが前記中棒下端とねじにより固定されていることを特徴とするプラスティック傘を開発した。
【発明の効果】
【００１５】
本発明のプラスティック傘によれば、繊維強化プラスティックによるケガや事故の危険性のないものであって、かつ、傘の利用として十分な耐久性を有するものを提供することができる。
【図面の簡単な説明】
【００１６】
【図１】本発明におけるプラスティック傘を開いた状態の概念断面図である。
【図２】本発明における、中棒及び上ろくろの部分概念断面図である。
【図３】本発明における、中棒及び上ろくろの部分概念断面図である。
【図４】本発明における、中棒及び上ろくろの部分断念概念図である。
【図５】本発明における、受骨の全体図である。
【図６】本発明における、下ろくろと受骨の部分図である。
【図７】本発明における、下ろくろと受骨の部分分解図である。
【図８】本発明における、受骨と中だぼの部分図である。
【図９】本発明における、上ろくろと親骨の部分分解図である。
【図１０】本発明における、上ろくろと親骨の部分分解図である。
【図１１】本発明における、親骨の両端が被覆された場合の概念断面図である。
【図１２】本発明における、親骨の被覆部の概念図である。
【図１３】本発明における、布状部材の全体図である。
【図１４】本発明における、下ろくろ内部の把持部概念断面図である。
【図１５】本発明における、下ろくろ内部の嵌合部概念断面図である。
【図１６】本発明における、中棒の二重構造及び上ろくろの部分概念断面図である。
【図１７】本発明における、蓋部の環内を上ろくろネジ部が通る図である。
【図１８】本発明における、蓋部の図である。
【図１９】本発明における、上ろくろの部分分解図である。
【図２０】本発明における、上ろくろの溝の上方に蓋部が固定されている図である。
【図２１】本発明における、受骨から下ろくろが受ける力について示した図である。
【図２２】本発明における、受骨が下ろくろに与える力の分解図である。
【００１７】
以下、本発明の実施形態について、図を用いて説明する。以下の説明は、実施例１は請求項１に、実施例２は請求項２に、実施例３は請求項３に、実施例４は請求項４に、実施例５は請求項５に、実施例６は請求項６に、実施例７は請求項７に、実施例８は請求項８に、それぞれ対応する。なお、本発明の内容は、以下の実施例にのみ限定されるものではなく、本発明の要旨を逸脱しない範囲内において種々変更を加え得る。
【実施例１】
【００１８】
〈概要〉
本実施例の発明は、親骨の先端が親骨の断面が露出しないようにプラスティックで被覆されたプラスティック傘である。
【００１９】
図１に示すように、本実施例の発明は、プラスティック製の中棒（０１０１）と、プラスティック製の上ろくろ（０１０３）（０１０４）（０１０５）と、プラスティック製の下ろくろ（０１０２）と、下ろくろに支持される受骨（０１０６）と、親骨（０１０７）の断面が露出した先端を被覆する被覆部（０１０８）と、前記親骨の上に配置して雨等をよけるための布状部材（０１０９）と、前記布状部材を前記親骨の上に配置するために前記被覆部に被せるための前記布状部材の先端に設けられる着脱自在なプラスティック製の露先（０１１０）とからなる、プラスティック傘である。特に本発明が適用される最適例としては前記布状部材が着せ替え可能な傘であり、前記布状部材と傘の他の構造物との固定は石突（０１１１）部分と前記露先のみで行われ、中だぼ（０１１３）と前記布状部材との固定構造は有しない。
【００２０】
〈中棒について〉
〈素材について〉
前記中棒は、プラスティック素材により構成されるものである。前記中棒を構成するプラスティック素材の具体的な例としては、ABS樹脂（以下、「ABS」とする）、ポリアセタール（以下、「POM」とする）、繊維強化プラスティック（以下、「FRP」とする）、エチレンビニールアセタートコポリマー（以下、「EVA」とする）、等があげられるが、再生可能なプラスティックを用いることがより望ましい。
【００２１】
〈形について〉
前記中棒のいわゆる傘のハンドルにあたる部分の形状は中棒から円錐状に太くなった後は丸棒形であるが、機能を果たすものであれば形を限定しない。
【００２２】
〈サイズについて〉
前記中棒は、全長約８０センチメートルであるが、この数値に限定されない。前記中棒のハンドル部分は長さ約１７．５センチメートル、直径約２．５センチメートル、それ以外の部分は、直径約１センチメートルであるが、この数値に限定されない。
【００２３】
〈上ろくろについて〉
〈素材について〉
前記上ろくろはプラスティック素材により構成されるものである。前記上ろくろを構成するプラスティック素材の具体的な例としては、ABS、POM、FRP、EVA等があげられるが、再生可能なプラスティックを用いることがより望ましい。
【００２４】
〈位置及び構造について〉
図１に示すように、前記上ろくろは、前記中棒の上部に配置されている。前記上ろくろは、本発明にかかる傘を開いた状態にした時に、前記下ろくろの位置を定める働きをするものであって、傘を開いた状態の時に前記上ろくろと前記下ろくろは接触する。前記上ろくろは、石突（０１１１）とネジ構造によって固定されているが、この他の具体的構造例として、把持や嵌合構造、接着材による方法等が考えられる。前記上ろくろと前記石突の間には、前記布状部材（０１０９）が存在している。前記上ろくろは、前記中棒が貫通する筒状の構造となっているが、前記中棒が前記上ろくろの頂部で止まるように頂部を残した空洞となっていても構わない。前記上ろくろは、前記上ろくろの中央に設けられた穴に前記中棒を通して、前記上ろくろが前記中棒に対して固定される構造である（図２参照）。前記中棒の中心に設けられた穴に、前記上ろくろの下部が嵌合する構造（図３参照）、あるいは、前記上ろくろの中央に設けられた穴が前記中棒に被さる構造（図４参照）等も考えられる。この他に、前記中棒と一体の構造として、同一部材として作成されていても構わない。図１に示すように、前記上ろくろには、前記親骨が支持されている（０１１５）。図１０に示すように、前記上ろくろの中ほどにある嵌合部（１００２）に前記親骨が嵌合している。図１１に示すように、前記上ろくろに嵌合する前記親骨の先端は被覆していても構わない（１１０１）。図９に示すように、前記親骨は、支持部（０９０１）を起点として、上下に４５度の回転運動をする。前記上ろくろには、傘を閉じたときに前記親骨を収容するための溝（０９０２）が切られている。
【００２５】
〈蓋部の構造について〉
図１７に示すように、前記上ろくろは、前記溝の上方に蓋をするために、前記上ろくろの経大となっている部分の表面と直径を同じくするいわゆるドーナツ型をした蓋部（１７０１）を有している。図１８に示すように、前記蓋部は、二層構造になっており、下層の内円には９０度ごとに切り込みが入っている（１８０１）。上層の内円は、前記下層にくらべて経大となっており、前記上層と前記下層の間には段差がある。前記上層は前記下層の切り込みのすぐ右横上に突設部分を有している（１８０２）。前記上層の突設部分と前記上層の突設部分の間の真ん中の３分の１部分がいわゆるレ点状に突出（１８０３）している。図１９に示すように、前記上ろくろにはネジ部分の根元に４点の突起が設けられている（１９０１）。前記蓋部の中心を、前記上ろくろのネジ部分が、前記蓋部の前記下層の切り込みと前記突起が一致するように通ることで、前記上ろくろの経大部分に前記蓋が設置される。前記上ろくろの経大部に前記蓋部を設置したあと、前記蓋部を左に約９０度回転させると、矢印の方向に前記突起が動き、多少の弾性を有した素材でできているため、レ点状の突出を通過し、前記下層部上に位置した凹部（１８０４）にパチッと嵌まる。前記突起に前記下層がぶつかるので、前記蓋部が前記突起よりも上に移動することはできないため、前記蓋部は前記上ろくろの経大部分の上に固定される（図２０参照）。前記蓋部が前記上ろくろの経大部分の上に固定される構造であれば、どのような構造であっても構わない。
【００２６】
〈形について〉
図９に示すように、前記上ろくろは、略三段重ねの筒状で、上下の筒状部に対して中央の筒（０９０３）が経大となっている。上の筒状部（０９０４）には図には表れていないが、実際には周囲にネジ溝が切られている。前記上ろくろは、この形に限定されるものではない。
【００２７】
〈サイズについて〉
図１に示すように、前記上ろくろは、前記中棒を内包する大きさである。前記上ろくろの真ん中部分（０１０４）は、長さ約１センチメートル、最も太い部分は直径約２．８センチメートルである。前記上ろくろの真ん中部分以外の部分は、下部（０１０３）が長さ約３．３センチメートル、直径約１．５センチメートルであり、上部（０１０５）が長さ約１．５センチメートル、直径約１．５センチメートルである。前記上ろくろの前記各部位の長さ及び大きさは、ここに記載した数値に限定されない。また、前記上ろくろに前記親骨を収容するための溝は、長さ約１センチメートル、幅約０．５センチメートル、深さ約０．５センチメートルであるが、嵌合する前記親骨の大きさに合わせて変動するものであり、ここに記載した数値に限定されない。前記蓋部の大きさは、全経は約２．８センチめーとるであり、内径は下層は約１．５センチメートルで、前記上層は約１．３センチメートルである。前記上ろくろのネジ部の前記突起は１辺約０．１センチメートルの略立法体である。前記下層の切り込みは長さ約０．２センチメートル、幅約０．１センチメートルである。前記上層の突設部分は、長さ０．１センチメートル、幅約０．１センチメートルである。前記上層のレ点状の突出部分は、頂点の長さが約０．１センチメートルである。前記蓋部に関する構造及び前記上ろくろの突起は、前記上ろくろの大きさに合わせて大きさが変動するものであり、ここに記載された数値に限定されない。
【００２８】
〈下ろくろについて〉
〈素材について〉
前記下ろくろは、プラスティック素材により構成されるものである。前記下ろくろを構成するプラスティック素材の具体的な例としては、ABS、POM、FRP、EVA等があげられるが、再生可能なプラスティックを用いることがより望ましい。
【００２９】
〈位置及び構造について〉
図１に示すように、前記下ろくろは、前記中棒に沿って上下に自在に動く環状構造であるが、前記中棒に沿って上下自在に可動することが可能であれば、環状構造に限定されない。前記下ろくろには前記受骨が支持されている（０１１２）。図７に示すように、前記下ろくろの上部にある嵌合部（０７０１）に、前記受骨が嵌合する。図６に示すように、前記受骨は、支持部（０６０１）を起点として、前記下ろくろの動きに合わせて、上下に９０度の回転運動をする。前記下ろくろには、前記受骨の回転運動の可動域に合わせて溝が切られている（０６０２）。
【００３０】
〈形について〉
図６に示すように、記下ろくろは、いわゆる脚付きのぼんぼり型をしており、上部が丸みを帯びて膨らみ下部よりも太くなっているが、丸棒形でもよく、この形に限定されない。
【００３１】
〈サイズについて〉
前記下ろくろは、下部の長さ約５．５センチメートル、直径約１．８センチメートル、上部の長さ約１．５センチメートル、直径約２．５センチメートルであるが、ここに記載した数値に限定されない。
【００３２】
〈受骨について〉
〈素材について〉
前記受骨は、プラスティック素材により構成されるものである。前記受骨を構成するプラスティック素材の具体的な例としては、ABS、POM、FRP、EVA等があげられるが、再生可能なプラスティックを用いることがより望ましい。
【００３３】
〈位置及び構造について〉
前記受骨は全部で８本あり、いずれも、図１に示すように、前記下ろくろによって一端を支持（０１１２）されており、もう一端は前記親骨に固定された中だぼ（０１１３）によって支持（０１１４）されている。図５に示すように、前記受骨両端には、下ろくろ側突設部（０５０１）と中だぼ側突設部（０５０２）がある。前記各突設部が、図６に示す前記下ろくろの支持部（０６０１）と、図８に示す前記中だぼの支持部（０８０１）との、それぞれの嵌合部に嵌合することで、支持されている。前記中だぼは、前記突起部とは異なる突起（０８０４）を有しており、これが傘を閉じた状態で中だぼに開けられた穴（０８０３）に嵌合することで、前記受骨が固定され、傘が閉じた状態で維持される。傘が閉じた状態を維持するためのその他の構造を用いた場合には、前記受骨に前記支持部とは異なる突起（０８０４）と前記中だぼの穴（０８０３）はなくても構わない。図５に示すように、前記受骨の両端は被覆されていてもよい。
【００３４】
〈形について〉
図５に示すように、前記受骨は、全体的に細長い棒状の形をしていて両端（０５０３）（０５０４）が膨らんだ後、両先端にかけて細くなり略直方体（０５０５）（０５０６）となっているが、この形に限定されるものではない。
【００３５】
〈サイズについて〉
前記受骨は長さ約２４．５センチメートル、直径約０．３センチメートルである。両端から約２．５センチメートルの辺りから太くなっており、直径約０．７センチメートルであり、先端から約１センチメートルから細くなっており、長さ約１センチメートル、幅約０．５センチメートル奥行約０．５センチメートルとする。前記受骨全体の長さは、前記中棒の長さ又は前記親骨の長さに合わせて変動するものであり、太さや大きさはここに記載した数値に限定されるものではない。
【００３６】
〈動作について〉
図６に示すように、前記受骨は、下ろくろが上下運動をするのに合わせて前記支持部（０６０１）を起点に回転運動をする。前記下ろくろが上方向に動くとき、前記受骨は前記支持部を起点に下方向に約９０度の回転運動をする。前記下ろくろが下方向に動くとき、前記受骨は前記支持部を起点に上方向約９０度の回転運動をする。前記８本の受骨は、それぞれの前記支持部を起点として、同一方向に同一速度の回転運動を行う。
【００３７】
〈親骨について〉
〈素材について〉
前記親骨はプラスティック素材により構成されるものである。前記親骨を構成するプラスティック素材の具体的な例としては、ABS、POM、FRP、EVA等があげられるが、再生可能なプラスティックを用いることがより望ましい。
【００３８】
〈位置及び構造について〉
前記親骨は、全部で８本であるが、これに限定されない。図１に示すように、前記親骨は上ろくろの中ほど（０１１５）に支持されている。図１０に示すように、前記親骨の上ろくろ側先端にある突設部（１００１）が、前記上ろくろの前記支持部に設けられた前記嵌合部に嵌合する。図１１に示すように、前記親骨の上ろくろ側の先端は、被覆されていてもいい（１１０１）。図１に示すように、前記親骨の中ほどには、前記中だぼ（０１１３）がある。図８に示すように、前記中だぼは、前記親骨に溶接一体化（０８０２）されている。前記親骨は、前記中だぼを介して、前記受骨と連結する構造となっている。前記親骨と前記中だぼは、異なる部材で前記親骨を挟む、あるいは、接着する等して固定する構造でもよい。
【００３９】
〈形について〉
前記親骨は、全体的に細長い棒状の形をしていて、前記上ろくろとの嵌合部分にかけていったん膨らんだ後、略直方体形に細くなる。
【００４０】
〈サイズについて〉
前記親骨は長さ約６５センチメートル、直径約０．３センチメートルである。両端から約２．５センチメートルの辺りから太くなっており、直径約０．７センチメートルであり、先端から約１センチメートルから細くなっており、長さ約１センチメートル、幅約０．５センチメートル奥行約０．５センチメートルとする。前記親骨の長さは、前記中棒の長さに応じて変動するものであり、太さや大きさはここに記載した数値に限定されるものではない。
【００４１】
〈動作について〉
前記親骨は、前記中だぼを介して連結した前記受骨の動きに連動して、前記下ろくろが動くと、図９に示すように、前記親骨を前記上ろくろが支持している支持部（０９０１）を起点として上下約４５度の回転運動を行う。前記下ろくろが上方向運動を行うと、前記受骨が下方向９０度の回転運動を行い、前記親骨が前記支持部を起点に上方向に約４５度の回転運動を行う。前記下ろくろが下方向運動を行うと、前記受骨が上方向９０度の回転運動を行い、前記親骨が前記支持部を起点に下方向約４５度の回転運動を行う。
【００４２】
〈被覆部について〉
〈素材について〉
前記被覆部は前記親骨の表面を構成するプラスティック素材と同一のプラスティックにより構成されている。前記被覆部は、前記親骨と異なる素材を用いて被覆することも可能である。その際に用いることが考えられる素材の具体的な例としては、ABS、POM、FRP、EVA、ポリオレフィンエラストマー（以下「POE」という）、再生可能なプラスティック素材、等が考えられる。
【００４３】
〈位置及び構造について〉
図１に示すように、前記被覆部（０１０８）は、前記親骨の先端部分に存在している。前記被覆部は、前記親骨の先端部分の露出をプラスティック素材により被覆している。前記被覆部は、親骨の両端にあっても構わない。
【００４４】
〈形について〉
図１２に示すように、前記被覆部は端部（１２０１）と端部近傍（１２０２）を包み込むように形成されており、端部より中実の凸部（１２０３）を有する。端部の露出面が人体に触れることのない形状であれば、この形に限定されない。
【００４５】
〈サイズについて〉
前記被覆部は長さ約２．８センチメートル、直径約０．５センチメートルの部分と、直径約０．３センチメートルの最先端部から構成される。前記最先端部は、長さ約１．２センチメートルである。上ろくろ側の前記親骨の先端を被覆する場合は、先端から約２．５センチメートルの辺りから先端約１センチメートルまでが太く、直径約０．７センチメートルであり、先端から約１センチメートルから先は、一辺を１センチメートル、もう一辺を０．５センチメートルである。被覆部の長さ及び直径は、ここに記載された数値に限定されない。
【００４６】
〈布状部材について〉
〈素材について〉
前記布状部材はプラスティック素材により構成されるものである。前記布状部材を構成するプラスティック素材の具体的な例としては、塩化ビニール系、スチレン系、POE等のオレフィン系のビニール等があげられるが、再生可能なプラスティックを用いることがより望ましい。
【００４７】
〈位置及び構造について〉
図１に示すように、前記布状部材は、前記親骨の上部に位置するものである。前記布状部材は、上ろくろの前記ネジ構造部分及び上ろくろと石突に挟まれることによって、中心部が傘骨に固定されている。前記布状部材は、着脱自在である。前記布状部材の取り換えられる着せ替え傘の場合にはこれ以外の部分で布状部材が傘の他の構造部分と固定されない構造であり、傘の着せ替えを行う際には、前記親骨から前記露先を外し、前記石突を前記上ろくろから分解し、前記布状部材を前記上ろくろから外して行う。図１３に示すように、前記布状部材は中央に上ろくろを通すための円形の穴（１３０１）があいている。前記布状部材の中央部の穴は、雨の侵入を防ぐために、上ろくろのネジ部分にあたる部位の形状と合致するものが望ましいが、それ以外の構造でも構わない。あるいは、上ろくろを覆って、その上から石突を固定するような構造でも構わない。前記布状部材は、複数の布状素材を、接合部が前記親骨に沿うように接合（１３０２）してある一枚の布状素材である。前記接合部は前記親骨に沿っていなくても構わないが、前記親骨に沿っている方がよい。前記布状部材は、複数の布状素材を接合していない１枚の布状素材であってもいい。前記布状部材の先端には、８個の前記露先が各接合部の位置に合わせて固着（１３０３）されているが、前記露先の固着位置は限定されない。前記布状部材は、複数の布状素材を重ねる構造でも構わない。複数の布状素材を重ねて前記布状部材とする場合には、前記露先も重ねられる構造にするか、あるいは前記露先をもつ前記布状部材と前記露先を持たずに他の前記布状部材と固定する何らかの部材を有する前記布状部材を組み合わせる構造が考えられる。
【００４８】
〈形について〉
前記布状部材は、各接合部分を一辺とする略八角錐の立体的な外形であるが、略十六角錐でもよいし、その他の略多角錐でもよい。傘を開いたときに前記布状部材が、前記親骨の上に張りをもって全面に広がる形であれば、この外形に限定されない。
【００４９】
〈サイズについて〉
前記布状部材は、略八角錐の各面について、斜辺約８０センチメートル、底辺を約３７センチメートルする二等辺三角形である略八角錐であるが、各辺の長さは前記親骨や前記布状部材の形に合わせて変動するものである。
【００５０】
〈露先について〉
〈素材について〉
前記露先はプラスティック素材により構成されるものである。前記露先を構成するプラスティック素材の具体的な例としては、ABS、POM、FRP、EVA等があげられるが、再生可能なプラスティックを用いることがより望ましい。
【００５１】
〈位置及び構造について〉
図１に示すように、前記露先は前記布状部材の端に固着している。前記露先は、前記親骨の先端の前記被覆部に被せることで、前記露先が固着している前記布状部材を前記親骨に固定する。前記露先は、前記親骨の先端の前記被覆部と容易に分離できない程度に密着するように中心部が空洞となっており、着脱自在である。前記露先の個数は、前記親骨の本数と一致する。前記露先の前記布状部材への固着箇所は、傘を開いたときに前記布状部材が前記親骨の上部に張りをもって全面に広がるように配置されるものである。
【００５２】
〈形について〉
前記露先の形は円柱状のキャップ型であるが、前記露先が前記親骨の先端の前記被覆部と容易に分離できない限り、どのような形であっても構わない。
【００５３】
〈サイズ〉
前記露先の大きさは、長さ約０．８センチメートル、直径約１センチメートルであるが、この数値に限定されるものではない。前記露先の中心部の空洞の大きさは、前記被覆部の大きさに応じて変動するものである。
【実施例２】
【００５４】
〈概要〉
本実施例の発明は、実施例１の特徴に加えて、傘を構成するプラスティックの一部または全てにガラス繊維強化プラスティックを利用するとの特徴をもったものである。
【００５５】
本実施例の発明は、実施例１の特徴に加えて、一部の構造がガラス繊維強化プラスティックからなる、又は、すべての構造がガラス繊維強化プラスティックからなる、との特徴を有する。
【００５６】
〈位置及び構造について〉
一部の構造、又は、すべての構造に、ガラス繊維強化プラスティックや炭素繊維強化プラスティックを利用した場合、傘骨の端面からガラス繊維や人体に有害な物質が露出するので、このような部位に人体が触れることがないように、前記端面を被覆する構造をとることが望ましい。工場での組み立て作業を行う者が前記端面に触れる恐れがあるので、ガラス繊維浄化プラスティックや炭素繊維プラスティックを利用した部品は全て端面が被覆されていることが望ましく、特に先端の鋭利な部材である傘骨については、前記端面は全て覆われていることが望ましい。特に、前記布状部材の着脱が可能な、前記布状部材の取り換えられる着せ替え傘の場合には、ガラス繊維強化プラスティックや炭素繊維強化プラスティックの危険性を知らない者が前記端面に触れる危険性が高く、前記布状部材の着脱にあたって必ず触れる前記親骨の前記端面については被覆しておく必要性が高い。
【００５７】
〈変更部位に関して〉
ガラス繊維強化プラスティックや炭素繊維強化プラスティックに変更する場所としては、傘骨の構造上力のかかる、前記中棒、前記親棒、前記受骨に用いることが考えられる。しかし、ガラス繊維強化プラスティックや炭素繊維強化プラスティックのガラスの端面は摺動に弱い素材であるから、摺動摩擦部分及び摺動摩擦を構成する回転運動の支点となる、前記上ろくろの中心部、前記下ろくろの上部、前記中だぼ、ではガラス繊維強化プラスティックや炭素繊維強化プラスティックを用いない方がよい。
【実施例３】
【００５８】
〈概要〉
本実施例の発明は、実施例１又は実施例２の特徴に加えて、前記被覆部が溶着一体化の構造をしている、との特徴を有するものである。
【００５９】
本実施例の発明は、実施例１又は実施例２の特徴に加えて、前記親骨の先端と前記被覆部が、溶着一体化されているとの特徴を有する。
【００６０】
〈素材について〉
前記親骨の先端と前記被覆部を溶着一体化させる溶着層は、プラスティック素材により構成されるものである。前記溶着層を構成するプラスティック素材の具体的な例としては、ABS、POM、FRP、EVA、POE等があげられるが、再生可能なプラスティックを用いることがより望ましい。
【００６１】
〈位置及び構造について〉
図１２で示すように、前記親骨の前記端部（１２０１）と前記親骨の前記端部近傍（１２０２）を包み込むように形成した前記被覆部を、前記親骨とつなぎ目ができないようにプラスティック素材による前記溶着層で覆っている。前記溶着層は、前記親骨の全体と前記被覆部を覆っていてるものであるが、前記親骨の前記端部近傍と前記被覆部のみを覆っているものでもよい。
【００６２】
〈製造方法〉
前記被覆部の溶着一体化は、前記親骨の前記端部と前記被覆部を被覆した後に加熱することで、溶着一体化するものである。
【実施例４】
【００６３】
〈概要〉
本実施例の発明は、実施例１から実施例３のいずれか一の特徴に加えて、前記下ろくろと前記中棒の把持構造により傘を閉じた状態で固定する構造をもつものである。
【００６４】
本発明のように前記中棒をプラスティック素材で構成する場合、強度を維持するためには、引用文献で示されているように、前記中棒の下部に下はじきをプラスティック素材で構成することはできない。そこで、本実施例の発明は、図１４に示すように、実施例１から実施例３のいずれか一つの特徴に加えて、傘を閉じたときに前記下ろくろを前記中棒に固定するための前記中棒に設けられた突設部（１４０１）と、前記下ろくろにて傘を閉じた状態で前記突設部を把持する把持部（１４０２）と、を有する。
【００６５】
〈突設部について〉
〈素材について〉
前記突設部は、プラスティックにより構成されている。前記突設部を構成するプラスティック素材の具体的な例としては、ABS、POM、FRP、EVA等があげられるが、再生可能なプラスティックを用いることがより望ましい。前記中棒と同一の素材であっても、異なる素材であっても構わない。
【００６６】
〈位置及び構造〉
前記突設部は、前記中棒のいわゆるハンドル部分より少し上に位置している。前記突設部は環状の構造である。前記突設部の環内に前記中棒を通して、適当な位置で固定している。前記中棒をハンドル部分より少し上の部分で本体部分とハンドル部分の二つに分断し、その継目に前記突設部を挿入して、前記本体部分と前記突設部分と前記ハンドル部分を再び接着する構造も考えられる。この他に、数点の突起物を前記中棒の適当な位置に固着する方法、あるいは、前記中棒の適当な位置を経大とする方法等、前記中棒から突出するように設けられていれば構造は限定されない。図８に示す、前記受骨の突起（０８０４）と前記中だぼ（０８０３）の穴は、受骨を固定することで傘を閉じた状態を維持するための構造であるから、本実施例の発明に示すように、前記中棒の突設部を前記下ろくろの前記把持部が把持することによって傘が閉じた状態を維持する場合には、このような構造を有していなくてもよい。
【００６７】
〈把持部について〉
〈素材について〉
前記把持部は、プラスティックにより構成されている。前記把持部を構成するプラスティック素材の具体的な例としては、ABS、POM、FRP、EVA等があげられるが、再生可能なプラスティックを用いることがより望ましい。
【００６８】
〈位置及び構造について〉
図１４に示すように、前記把持部は、前記下ろくろの環の内側に存在していて、前記下ろくろと前記中棒の間に存在している。前記把持部は、前記下ろくろに内包される筒状であって、真ん中にかけて内側に入り込む、いわゆるひょうたんの上こぶのような形状をしている。ひょうたんの上こぶ型の最も幅が狭くなる部分に、前記突設部を把持するための凹み（１４０３）を持っている。前記下ろくろが、前記突設部を把持すると、前記把持部の真ん中部分の凹みが左右に広がり、前記把持部のひょうたんの上こぶのくびれは浅くなる（１４０４）。この他に、前記把持部の下部が爪となるよう切り込みをいれることが考えられる。また前記把持部は、筒状の物でなくてもよく、前記爪にあたる構造を下ろくろに設置する構造、あるいは、前記爪構造を有する筒状ではない把持部を下ろくろに固着させる構造等も考えられる。前記把持部は、前記下ろくろに接着剤を用いて固着されている。前記把持部の筒が下ろくろの上部にむけて経大となるようにして、前記下ろくろの上部のいわゆる脚付きぼんぼりのぼんぼり部分にひっかけて固定する構造であっても構わない。
【実施例５】
【００６９】
〈概要〉
本実施例の発明は、実施例１から実施例３のいずれか一の特徴に加えて、前記下ろくろと前記中棒の嵌合構造により傘を閉じた状態で固定する構造をもつものである。
【００７０】
本発明のように前記中棒をプラスティック素材で構成する場合、強度を維持するためには、引用文献で示されているように、中棒の下部に下はじきをプラスティック素材で構成することはできない。そこで、本実施例の発明は、図１５に示すように、実施例１から実施例３のいずれか一つの特徴に加えて、傘を閉じたときに前記下ろくろを前記中棒に固定するための前記中棒に設けられた凹部（１５０１）と、前記下ろくろにて傘を閉じた状態で前記突設部を嵌合する嵌合部（１５０２）と、を有する。
【００７１】
〈凹部について〉
〈位置及び構造〉
前記凹部は、前記中棒のいわゆるハンドル部分より少し上に位置している。前記凹部は、前記中棒の一部分を凹ませることで設けられている。前記凹部は、前記中棒を環状に凹ませるものであるが、この他に、数ヶ所の凹部を設ける構造等も考えられる。
【００７２】
〈嵌合部について〉
〈素材について〉
前記嵌合部は、プラスティックにより構成されている。前記嵌合部を構成するプラスティック素材の具体的な例としては、ABS、POM、FRP、EVA等があげられるが、再生可能なプラスティックを用いることがより望ましい。
【００７３】
〈位置及び構造について〉
図１５に示すように、前記嵌合部は、前記下ろくろの環の内側に存在していて、前記下ろくろと前記中棒の間に存在している。前記嵌合部は、前記下ろくろに内包される筒状であって、真ん中にかけて内側に入り込む、いわゆる堤のような形状をしている。堤型の最も幅が狭くなる部分に、前記凹部に嵌合するための膨らみ（１５０３）を持っている。前記下ろくろが、前記凹部に嵌合すると、前記凹部の真ん中部分の膨らみが左右に広がり、前記嵌合部の堤のくびれは浅くなる（１５０４）。この他に、前記嵌合部の下部が爪となるよう切り込みを入れることが考えられる。また、前記嵌合部は0筒状の物でなくてもよく、前記爪にあたる構造を下ろくろに設置する構造、あるいは、前記爪構造を有する筒状ではない嵌合部を下ろくろに固着させる構造等も考えられる。前記嵌合部は、前記下ろくろに接着剤を用いて固着されている。前記嵌合部の筒が下ろくろの上部にむけて経大となるようにして、前記下ろくろの上部のいわゆる脚付きぼんぼりのぼんぼり部分にひっかけて固定する構造であっても構わない。図８に示す、前記受骨の突起（０８０４）と前記中だぼ（０８０３）の穴は、受骨を固定することで傘を閉じた状態を維持するための構造であるから、本実施例の発明に示すように、前記中棒の凹部を前記下ろくろの前記嵌合部が嵌合することによって傘が閉じた状態を維持する場合には、このような構造を有していなくてもよい。
【実施例６】
【００７４】
〈概要〉
本実施例の発明は、受骨が突っ張る左右の力によって、傘が開いた状態を維持するという構造を有するプラスティック傘である。
【００７５】
本発明のように前記中棒をプラスティック素材で構成する場合、強度を維持するためには、引用文献で示されているように、前記中棒の上部に上はじきをプラスティック素材で構成することはできない。そこで、本実施例の発明は、傘を開いた状態で前記受骨が前記下ろくろに与える前記中棒軸方向の力が前記上ろくろ方向であるように前記下ろくろの上限位置を定めるように上限位置を前記上ろくろが定めているという構造を有するプラスティック傘である。
【００７６】
〈位置及び構造について〉
前記上ろくろに前記下ろくろが接触するまで前記下ろくろを前記中棒にそって上方向に動かすと、前記下ろくろが前記上ろくろと接触した場所で、前記下ろくろが停止する。前記上ろくろの位置は、前記中棒の長さや前記布状部材の大きさあるいは前記親骨や前記受骨の長さに応じて変動するものである。  
【００７７】
〈前記下ろくろが受骨から受ける力について〉
図２１に示すように、細い矢印（２１０１）（２１０２）（２１０３）（２１０４）は、前記受骨が中だぼを介して前記親骨に与える力（ベクトル）及び前記下ろくろの前記回転支持部に対して与える力（ベクトル）を示している。下ろくろの受ける力（ベクトル）に着目すれば、図２２のようになる。つまり、前記下ろくろの回転支持部（２２０１）に加えられる力（ベクトル）を分解して観察すると、相互に向き合う力（ベクトル）（２２０２Ｂ、２２０３Ｂ）が相互に打ち消しあい、下ろくろを上向きに付勢する力（ベクトル）（２２０２Ａ、２２０３Ａ）が残る。つまり、突っ張る受骨から受ける力により下ろくろは上ろくろ側に付勢された状態となり、傘は開いた状態を自然と保つようになる。
【実施例７】
【００７８】
〈概要〉
本実施例の発明は、実施例１から５のいずれか一に記載の特徴に加えて、前記中棒が二重構造となっているプラスティック傘である
【００７９】
図１６に示すように、本実施例の発明は、前記中棒の構造が中心棒（１６０１）と中心棒を挿入する環状棒（１６０２）とからなる二重構造を有するプラスティック傘である。
【００８０】
〈素材について〉
前記中心棒及び前記環状棒はいずれもプラスティック素材により構成されるものである。前記中心棒及び前記環状棒を構成するプラスティック素材の具体的な例としては、ABS、POM、FRP、EVA等があげられるが、再生可能なプラスティックを用いることがより望ましい。前記中心棒と前記環状棒は、同一の素材により構成されていてもかまわないし、異なる素材により構成されていても構わない。
【００８１】
〈位置及び構造について〉
図１６に示すように、前記中心棒と前記環状棒の間は空間構造（１６０３）となっているが、空間構造になっていなくてもよい。また、中心棒は空洞の構造になっているが、空洞の構造になっていなくても構わない。前記環状棒には、前記下ろくろ及び前記上ろくろが固定されている。前記上ろくろとは、前記上ろくろの中央に設けられた穴に前記中心棒を通して、前記上ろくろが前記中心棒に固定され、前記上ろくろの中央に設けられた穴を前記環状棒に被せる構造によって、前記環状棒と固定され、前記上ろくろと二重構造となった前記中棒とが固定される構造である。前記中棒と前記環状棒を固定して、一体となった状態の二重構造の前記中棒を上ろくろと実施例１に記載したものと同様の方法によって固定することも可能であり、方法は限定されない。
【実施例８】
【００８２】
〈概要〉
本実施例の発明は、実施例１から３のいずれか一の特徴に加え、中棒の傘を差した状態の最下端に、ストラップキャップが前記中棒とねじ構造により合致しているストラップを有することを特徴としている、構成部材をプラスティックとする傘である。
【００８３】
本実施例の発明は、前記中棒の最下端に自立性の高い素材でできたストラップが固定されている構造を有するプラスティック傘である。
【００８４】
〈素材について〉
前記ストラップの素材は、柔軟性と自立性を兼ね備えた形状固定可能な素材で作られていることが望ましく、シリコンでできているが、本件発明の傘の構成部材同様プラスティック素材でできていてもよい。前記ストラップを構成するプラスティック素材の具体的な例としては、ABS、POM、FRP、EVA等があげられるが、再生可能なプラスティックを用いることがより望ましい。
【００８５】
〈位置及び構造について〉
前記ストラップは、前記中棒の最下端に位置する。前記ストラップは環状である。前記ストラップは前記中棒の最下端に位置することに限定されないし、環状構造に限定されない。前記中棒の下端にネジ溝が切られており、前記ストラップが固定された前記キャップの内側に切られたネジ溝によって、前記中棒に前記キャップが固定されることで、前記ストラップが前記中棒の最下端に固定される。
【００８６】
〈サイズについて〉
前記ストラップの全長は約３０センチメートルであるがが、いわゆる傘のハンドル部分を握る際に落下防止となる機能を果たせば、ここに記載した数値に限定されない。
【図１】
2018126262.tif 000003
【図２】
2018126262.tif 000004
【図３】
2018126262.tif 000005
【図４】
2018126262.tif 000006
【図５】
2018126262.tif 000007
【図６】
2018126262.tif 000008
【図７】
2018126262.tif 000009
【図８】
2018126262.tif 000010
【図９】
2018126262.tif 000011
【図１０】
2018126262.tif 000012
【図１１】
2018126262.tif 000013
【図１２】
2018126262.tif 000014
【図１３】
2018126262.tif 000015
【図１４】
2018126262.tif 000016
【図１５】
2018126262.tif 000017
【図１６】
2018126262.tif 000018
【図１７】
2018126262.tif 000019
【図１８】
2018126262.tif 000020
【図１９】
2018126262.tif 000021
【図２０】
2018126262.tif 000022
【図２１】
2018126262.tif 000023
【図２２】
2018126262.tif 000024
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
プラスティック製の中棒と、
プラスティック製の上ろくろと、
プラスティック製の下ろくろと、
下ろくろに支持される受骨と、
前記上ろくろに支持されるプラスティック製の親骨と、
前記親骨の断面が露出した先端を被覆する被覆部と、
親骨の上に配置して雨等をよけるための布状部材と、
布状部材を親骨の上に配置するために前記被覆部にかぶせるための露先であって、前記布状部材の先端に設けられる着脱自在なプラスティック製の前記露先と、
からなるプラスティック傘。
【請求項２】
前記プラスティックは、一部または全てが、ガラス繊維強化プラスティックである請求項１に記載のプラスティック傘。
【請求項３】
前記被覆部は、前記親骨と溶着一体化されている請求項１又は２に記載のプラスティック傘。
【請求項４】
傘を閉じたときに前記下ろくろを中棒に固定するための中棒に設けられた突設部と、
下ろくろにて傘を閉じた状態で前記突設部を把持する把持部と、
をさらに有する請求項１から３のいずれか一に記載のプラスティック傘。
【請求項５】
傘を閉じたときに前記下ろくろを中棒に固定するための中棒に設けられた凹部と、
下ろくろにて傘を閉じた状態で前記凹部に嵌合する突設部と、
をさらに有する請求項１から３のいずれか一に記載のプラスティック傘。
【請求項６】
傘を開いた状態で受骨が下ろくろに与える中棒軸方向の力が上ろくろ方向であるように下ろくろの上限位置を定めるように上限位置決部を有する請求項１から４のいずれか一に記載のプラスティック傘。
【請求項７】
中棒は中心棒と、中心棒を挿入する環状棒と、からなる請求項１から５のいずれか一に記載のプラスティック傘。
【請求項８】
中棒の傘をさした状態での最下端にはストラップを固定したストラップキャップが中棒下端にねじにより固定されている請求項１から６のいずれか一に記載のプラスティック傘。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
プラスティック製の中棒と、
プラスティック製の上ろくろと、
プラスティック製の下ろくろと、
下ろくろに支持される受骨と、
前記上ろくろに支持されるプラスティック製の親骨と、
前記親骨の断面が露出した先端を被覆する被覆部と、
親骨の上に配置して雨等をよけるための布状部材と、
布状部材を親骨の上に配置するために前記被覆部の先端にかぶせるための露先であって、前記布状部材の先端に設けられ前記被服部に着脱自在なプラスティック製の前記露先と、
からなるプラスティック傘。
【請求項２】
前記プラスティックは、一部または全てが、ガラス繊維強化プラスティックである請求項１に記載のプラスティック傘。
【請求項３】
前記被覆部は、前記親骨と溶着一体化されている請求項１又は２に記載のプラスティック傘。
【請求項４】
傘を閉じたときに前記下ろくろを中棒に固定するための中棒に設けられた突設部と、
下ろくろにて傘を閉じた状態で前記突設部を把持する把持部と、
をさらに有する請求項１から３のいずれか一に記載のプラスティック傘。
【請求項５】
傘を閉じたときに前記下ろくろを中棒に固定するための中棒に設けられた凹部と、
下ろくろにて傘を閉じた状態で前記凹部に嵌合する突設部と、
をさらに有する請求項１から３のいずれか一に記載のプラスティック傘。
【請求項６】
傘を開いた状態で受骨が下ろくろに与える中棒軸方向の力が上ろくろ方向であるように下ろくろの上限位置を定めるように上限位置決部を有する請求項１から４のいずれか一に記載のプラスティック傘。
【請求項７】
中棒は中心棒と、中心棒を挿入する環状棒と、からなる請求項１から５のいずれか一に記載のプラスティック傘。
【請求項８】
中棒の傘をさした状態での最下端にはストラップを固定したストラップキャップが中棒下端にねじにより固定されている請求項１から６のいずれか一に記載のプラスティック傘。